(57)【要約】【課題】  特にモニタと本体とが接触せずに、電子機器のモニタを本体に対してスムーズに１８０度展開できるヒンジを提供する。【解決手段】  第一リンク部材及び第二リンク部材はそれぞれ、一端が固定フレームに枢設され、他端が回動フレームに枢設されることから、電子機器のモニタが本体に対して開閉動作を行う時、それらリンク部材の枢設により、回動フレームを降下させて固定フレームに重置させてもよく、回動フレームが上昇して固定フレームから離間して、回動フレームと固定フレームとの間に所定の間隔が形成されてもよい。また、回動フレームに少なくとも１つの連結フレームが枢設されるので、その連結フレームによりヒンジをモニタに装着することができ、スムーズに１８０度展開できるヒンジを提供する。【選択図】  図１
0003179328.tif 000002
【実用新案登録請求の範囲】
【請求項１】
固定フレームと、
第一枢設端及び第二枢設端を備え、該第一枢設端が前記固定フレームに枢設される少なくとも１つの第一リンク部材と、
第一枢設端及び第二枢設端を備え、該第一枢設端が前記固定フレームに枢設される少なくとも１つの第二リンク部材と、
前記第一リンク部材の第二枢設端及び第二リンク部材の第二枢設端が枢設され、該第一リンク部材及び第二リンク部材の枢転によって固定フレームに重置され、あるいは、固定フレームとの間に所定の間隔をおいて位置される回動フレームと、
前記回動フレームに対して枢転する少なくとも１つの連結フレームと、を有することを特徴とするヒンジ。
【請求項２】
前記固定フレームに切欠き部が形成され、
前記回動フレームは、プレートを備え、該プレートに延出部が後方に向かって延設され、該延出部に少なくとも１つの連結部が設けられ、該連結部に前記連結フレームが枢設され、
前記回動フレームと固定フレームとの重置状態においては、連結部を切欠き部に収容することにより、重置状態の際の全体の厚さを減少させることを特徴とする請求項１に記載のヒンジ。
【請求項３】
前記固定フレームに少なくとも１つの結合プレートが設けられ、該結合プレートに第一結合部及び第二結合部が設けられ、該第一結合部に前記第一リンク部材の第一枢設端が枢設されると共に、該第二結合部に前記第二リンク部材の第一枢設端が枢設されることを特徴とする請求項２に記載のヒンジ。
【請求項４】
前記第一リンク部材は、その第一枢設端の近傍に止め凸部が凸設されると共に、前記固定フレームにおける結合プレートの第一結合部に回転不能に貫設され、第一リンク部材の第一枢設端に回転可能に貫設される第一回転軸を有し、該第一回転軸の一端に、回動により止め凸部と掛止可能な止めブロックが径方向に凸設されることを特徴とする請求項３に記載のヒンジ。
【請求項５】
前記回動フレームに少なくとも１つの組立プレートが設けられ、該組立プレートに第一組立部及び第二組立部が設けられ、該第一組立部に前記第一リンク部材の第二枢設端が枢設されると共に、該第二組立部に前記第二リンク部材の第二枢設端が枢設されることを特徴とする請求項４に記載のヒンジ。
【請求項６】
前記第二リンク部材は、その第一枢設端の近傍に少なくとも１つの位置決め凹部が形成されると共に、前記固定フレームの結合プレートの第二結合部に回転不能に貫設され、第二リンク部材の第一枢設端に回転可能に貫設される第二回転軸を有し、該第二回転軸に位置決めリングが回転不能に環装され、該位置決めリングに位置決め凹部に嵌合する位置決め凸部が凸設されることを特徴とする請求項５に記載のヒンジ。
【請求項７】
前記連結フレームは、少なくとも１つの位置決め凹部が形成される連結プレートを有し、該連結プレートに固定プレートが延設され、
更に、前記回動フレームの延出部の連結部に回転不能に貫設されると共に、連結フレームの連結プレートに回転可能に貫設される連結軸を有し、該連結軸に回転不能に位置決めリングが環装され、該位置決めリングに、位置決め凹部に嵌合される少なくとも１つの位置決め凸部が凸設されることを特徴とする請求項６に記載のヒンジ。
【請求項８】
前記連結フレームは、回動フレームに対して少なくとも１８０度回転可能であることを特徴とする請求項７に記載のヒンジ。
【請求項９】
前記第一リンク部材の第二枢設端が固定ピンにより回動フレームの組立プレートに枢設され、
前記第二リンク部材の第二枢設端が固定ピンにより回動フレームの組立プレートに枢設されることを特徴とする請求項８に記載のヒンジ。
【請求項１０】
前記固定フレームの対向する両側にそれぞれ結合プレートが設けられ、
前記回動フレームの対向する両側にそれぞれ組立プレートが設けられ、
前記第一リンク部材は２つを有し、それらは共に、該各第一リンク部材の両端と対応する結合プレート及び組立プレートに枢設され、
前記第二リンク部材は２つを有し、それらは共に、該各第二リンク部材の両端と対応する結合プレート及び組立プレートに枢設されることを特徴とする請求項９に記載のヒンジ。
【請求項１１】
前記第二回転軸に、軸方向に沿って位置決めリングに重なるように少なくとも１つの板バネが環装され、
前記連結軸に、軸方向に沿って位置決めリングに重なるように少なくとも１つの板バネが環装されることを特徴とする請求項１０に記載のヒンジ。
【請求項１２】
本体と、該本体と接触しないように、該本体に対して枢転するモニタと、該本体とモニタとの間に取り付けられるヒンジとを有し、
該ヒンジは、前記本体に取り付けられる固定フレームと、
第一枢設端及び第二枢設端を備え、該第一枢設端が前記固定フレームに枢設される少なくとも１つの第一リンク部材と、
第一枢設端及び第二枢設端を備え、該第一枢設端が前記固定フレームに枢設される少なくとも１つの第二リンク部材と、
前記第一リンク部材の第二枢設端及び第二リンク部材の第二枢設端が枢設されると共に、第一リンク部材及び第二リンク部材の枢転によって固定フレームに重置され、あるいは、固定フレームとの間に所定の間隔をおいて位置される回動フレームと、
前記モニタに取り付けられ、回転可能に前記回動フレームに枢設される少なくとも１つの連結フレームとを備えることを特徴とするヒンジを装着した電子機器。
【考案の詳細な説明】
【技術分野】
【０００１】
本考案は、特に電子機器の本体とモニタとの間に装着し、それによりモニタが本体に対して１８０度を回動しても互いに接触しなく、スムーズな開閉動作を発揮できるリンク式ヒンジに関するものである。
【背景技術】
【０００２】
従来の、折り畳み式のモニタを有するモバイル電子機器、例えば、折り畳み式携帯電話や、デジタルカメラなどは、主に本体とモニタとの間にヒンジが取り付けられ、このヒンジによりモニタの本体に対する回転を可能としている。このような折り畳み式のモニタを有するモバイル電子機器に使用される伝統的なヒンジは、２つのフレームの間にリベットを用いることにより、それらフレームを回転可能に組み立てている。
【考案の概要】
【考案が解決しようとする課題】
【０００３】
しかしながら、上述した伝統的なヒンジを用いると、本体とモニタとが衝突する場合があるので、モニタが本体に対して１８０度展開することができない。また、モニタの本体に対する回動角度を大きくするために、ヒンジが露出するように本体とモニタとの間に配置しなければならないので、電子機器の美観に影響を与えるとともに、小型化し難いという問題があった。
【課題を解決するための手段】
【０００４】
本考案に係るヒンジは、固定フレームと、第一枢設端及び第二枢設端を備え、該第一枢設端が前記固定フレームに枢設される少なくとも１つの第一リンク部材と、第一枢設端及び第二枢設端を備え、該第一枢設端が前記固定フレームに枢設される少なくとも１つの第二リンク部材と、前記第一リンク部材の第二枢設端及び第二リンク部材の第二枢設端が枢設され、該第一リンク部材及び第二リンク部材の枢転によって固定フレームに重置され、あるいは、固定フレームとの間に所定の間隔をおいて位置される回動フレームと、前記回動フレームに対して枢転する少なくとも１つの連結フレームと、を有するものである。
【０００５】
前記固定フレームに切欠き部が形成され、
前記回動フレームは、プレートを備え、該プレートに延出部が後方に向かって延設され、該延出部に少なくとも１つの連結部が設けられ、該連結部に前記連結フレームが枢設され、
前記回動フレームと固定フレームとの重置状態においては、連結部を切欠き部に収容することにより、重置状態の際の全体の厚さを減少させることが好ましい。
【０００６】
前記固定フレームに少なくとも１つの結合プレートが設けられ、該結合プレートに第一結合部及び第二結合部が設けられ、該第一結合部に前記第一リンク部材の第一枢設端が枢設されると共に、該第二結合部に前記第二リンク部材の第一枢設端が枢設されることが好ましい。
【０００７】
前記第一リンク部材は、その第一枢設端の近傍に止め凸部が凸設されると共に、前記固定フレームにおける結合プレートの第一結合部に回転不能に貫設され、第一リンク部材の第一枢設端に回転可能に貫設される第一回転軸を有し、該第一回転軸の一端に、回動により止め凸部と掛止可能な止めブロックが径方向に凸設されることが好ましい。
【０００８】
前記回動フレームに少なくとも１つの組立プレートが設けられ、該組立プレートに第一組立部及び第二組立部が設けられ、該第一組立部に前記第一リンク部材の第二枢設端が枢設されると共に、該第二組立部に前記第二リンク部材の第二枢設端が枢設されることが好ましい。
【０００９】
前記第二リンク部材は、その第一枢設端の近傍に少なくとも１つの位置決め凹部が形成されると共に、前記固定フレームの結合プレートの第二結合部に回転不能に貫設され、第二リンク部材の第一枢設端に回転可能に貫設される第二回転軸を有し、該第二回転軸に位置決めリングが回転不能に環装され、該位置決めリングに位置決め凹部に嵌合する位置決め凸部が凸設されることが好ましい。
【００１０】
前記連結フレームは、少なくとも１つの位置決め凹部が形成される連結プレートを有し、該連結プレートに固定プレートが延設され、
更に、前記回動フレームの延出部の連結部に回転不能に貫設されると共に、連結フレームの連結プレートに回転可能に貫設される連結軸を有し、該連結軸に回転不能に位置決めリングが環装され、該位置決めリングに、位置決め凹部に嵌合される少なくとも１つの位置決め凸部が凸設されることが好ましい。
【００１１】
前記連結フレームは、回動フレームに対して少なくとも１８０度回転可能である。
【００１２】
前記第一リンク部材の第二枢設端が固定ピンにより回動フレームの組立プレートに枢設され、
前記第二リンク部材の第二枢設端が固定ピンにより回動フレームの組立プレートに枢設されることが好ましい。
【００１３】
前記固定フレームの対向する両側にそれぞれ結合プレートが設けられ、
前記回動フレームの対向する両側にそれぞれ組立プレートが設けられ、
前記第一リンク部材は２つを有し、それらは共に、該各第一リンク部材の両端と対応する結合プレート及び組立プレートに枢設され、
前記第二リンク部材は２つを有し、それらは共に、該各第二リンク部材の両端と対応する結合プレート及び組立プレートに枢設されることが好ましい。
【００１４】
前記第二回転軸に、軸方向に沿って位置決めリングに重なるように少なくとも１つの板バネが環装され、
前記連結軸に、軸方向に沿って位置決めリングに重なるように少なくとも１つの板バネが環装されることが好ましい。
【００１５】
本体と、該本体と接触しないように、該本体に対して枢転するモニタと、該本体とモニタとの間に取り付けられるヒンジとを有し、
該ヒンジは、前記本体に取り付けられる固定フレームと、
第一枢設端及び第二枢設端を備え、該第一枢設端が前記固定フレームに枢設される少なくとも１つの第一リンク部材と、
第一枢設端及び第二枢設端を備え、該第一枢設端が前記固定フレームに枢設される少なくとも１つの第二リンク部材と、
前記第一リンク部材の第二枢設端及び第二リンク部材の第二枢設端が枢設されると共に、第一リンク部材及び第二リンク部材の枢転によって固定フレームに重置され、あるいは、固定フレームとの間に所定の間隔をおいて位置される回動フレームと、
前記モニタに取り付けられ、回転可能に前記回動フレームに枢設される少なくとも１つの連結フレームとを備えるヒンジを装着した電子機器。
【考案の効果】
【００１６】
本考案に係るヒンジは上記の課題を解決するものであり、回動フレームは、第一リンク部材及び第二リンク部材を介して固定フレームに装着されることから、回動フレームを下方へ回動させると、固定フレームにぴったりと重置し、一方、回動フレームを上方へ起伏回動させると、固定フレームとの間に所定の間隔が形成される。また、連結フレームを回転させて回動フレームに対して外側へ１８０度開くこともが可能である。
【００１７】
このように、ヒンジによりモニタを本体に装着した電子機器を使用する時は、モニタを本体と反対する方向に１８０度回転させることができ、また、モニタを本体と反対する方向に回転させる時には、回動フレームが固定フレームから離間するように上方へ起伏回動することから、モニタと本体とが接触することはなく、本体とモニタとが摩耗することもないので、回転動作が極めてスムーズである。
【図面の簡単な説明】
【００１８】
【図１】本考案に係るヒンジの斜視図である。
【図２】本考案に係るヒンジの部分分解斜視図である。
【図３】本考案に係るヒンジを電子機器の本体とモニタとの間に装着した状態を示す透視斜視図である。
【図４】図３のモニタを開いて本体から離間させた状態を示す透視斜視図である。
【図５】図３のモニタを回動フレームに対して外側に９０度に回転させた状態を示す斜視図である。
【図６】図３のモニタを回動フレームに対して外側に１８０度回転させた状態を示す斜視図である。
【図７】本考案に係るヒンジにおける回動フレームを固定フレームに重置した状態を示す側面図である。
【図８】本考案に係るヒンジにおける回動フレームを固定フレームに重置した状態を示す部分断面図である。
【図９】本考案に係るヒンジにおける回動フレームを上昇させて固定フレームから離間させた状態を示す側面図である。
【図１０】本考案に係るヒンジにおける連結フレームを回動フレームに対して９０度回転させた状態を示す側面図である。
【図１１】本考案に係るヒンジにおける連結フレームを回動フレームに対して１８０度回転させた状態を示す側面図である。
【考案を実施するための形態】
【００１９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００２０】
図１乃至図３に示すように、本考案に係るヒンジは、折り畳み式の電子機器に装着して使用するものであり、即ち、該電子機器の本体８０とモニタ９０との間に装着すると、モニタ９０を本体８０に対してスムーズに開閉することができる。
【００２１】
本考案に係るヒンジは、固定フレーム１０と、少なくとも１つの第一リンク部材２０と、少なくとも１つの第二リンク部材３０と、回動フレーム４０と、少なくとも１つの連結フレーム５０とを有する。
【００２２】
前記固定フレーム１０は、本体８０に取り付けられ、後側中央に切欠き部１３が凹設され、該切欠き部１３の近傍の側部に少なくとも１つの結合プレート１２が設けられ、該結合プレート１２の一端に第一結合部１２１が、他端に第二結合部１２２が設けられる。
【００２３】
前記第一リンク部材２０は、一端に第一枢設端２１が、他端に第二枢設端２２が設けられ、該第一枢設端２１は、固定フレーム１０における結合プレート１２の第一結合部１２１に枢設され、その内側面に止め凸部２１１が凸設される。また、前記第一リンク部材２０は、固定フレーム１０の結合プレート１２の第一結合部１２１に回転不能に貫設されると共に、第一リンク部材２０の第一枢設端２１に回転可能に貫設される第一回転軸２５を有し、該第一回転軸２５の一端に止めブロック２５１が径方向に凸設され、該第一回転軸２５が回動する時、該止めブロック２５１が止め凸部２１１に当接される。
【００２４】
前記第二リンク部材３０は、一端に第一枢設端３１が、他端に第二枢設端３２が設けられ、該第一枢設端３１は、固定フレーム１０における結合プレート１２の第二結合部１２２に枢設され、その内側面近傍に少なくとも１つの位置決め凹部３１１が形成される。また、前記第二リンク部材３０は、固定フレーム１０の結合プレート１２の第二結合部１２２に回転不能に貫設されると共に、第二リンク部材３０の第一枢設端３１に回転可能に貫設される第二回転軸３５を有し、該第二回転軸３５に位置決めリング３３が回転不能に環装され、該位置決めリング３３に位置決め凸部３３１が凸設され、該第二回転軸３５が回動する時、該位置決め凸部３３１が位置決め凹部３１１に嵌合される。
【００２５】
前記回動フレーム４０は、第一リンク部材２０の第二枢設端２２及び第二リンク部材３０の第二枢設端３２に枢設されると共に、プレート４１を備え、該プレート４１の後側に延出部４３が後方に向かって延設され、該延出部４３に少なくとも１つの連結部４５が設けられ、これにより、前記回動フレーム４０が固定フレーム１０に重置される時、連結部４５が切欠き部１３に収容されることから（図８の如く）、該回動フレーム４０と固定フレーム１０との全体の厚さを減少することができる。さらに、前記回動フレーム４０に少なくとも１つの組立プレート４２が設けられ、該組立プレート４２の反対する側にそれぞれ第一組立部４２１及び第二組立部４２２が設けられ、該第一組立部４２１に前記第一リンク部材２０の第二枢設端２２が枢設されると共に、該第二組立部４２２に前記第二リンク部材３０の第二枢設端３２が枢設される。
【００２６】
前記連結フレーム５０は、モニタ９０に取り付けられ、回動フレーム４０の連結部４５に対して少なくとも１８０度回転できるように、枢設されると共に、その連結フレーム５０は、少なくとも１つの位置決め凹部５１１が形成される連結プレート５１と、該連結プレート５１に延設されると共に、モニタ９０に結合される固定プレート５２とを備える。
【００２７】
更に、前記連結フレーム５０は、前記回動フレーム４０の延出部４３の連結部４５に回転不能に貫設されると共に、連結プレート５１に回転可能に貫設される連結軸５５を有し、該連結軸５５に回転不能に少なくとも１つの位置決め凸部５３１を有する位置決めリング５３が環装され、この構成によれば、該連結軸５５が回転すると、該位置決め凸部５３１が位置決め凹部５１１に嵌合される。
【００２８】
更に、前記第一リンク部材２０及び第二リンク部材３０を固定フレーム１０に対して回動させると、回動フレーム４０が上昇して固定フレーム１０から離間すると共に、回動フレーム４０と固定フレーム１０との間に所定の間隔が形成され、また、反対に回動フレーム４０を降下させて固定フレーム１０にぴったりと重置させると、モニタ９０が本体８０に対してスムーズに枢転するので、モニタ９０と本体８０とが接触することはない。
【００２９】
図３、図７及び図８に示すように、本考案に係る折り畳み式の電子機器を使用しない時は、回動フレーム４０を降下させて固定フレーム１０に重置させると、延出部４３の連結部４５が固定フレーム１０の切欠き部１３に収容されることから、回動フレーム４０と固定フレーム１０との全体の厚さを減少させて薄型化を達成することができる。
【００３０】
一方、図４及び図９に示すように、モニタ９０を上昇させる時は、第一リンク部材２０及び第二リンク部材３０を固定フレーム１０に対して上方へ枢転させ、回動フレーム４０を上昇させればよく、これにより、回動フレーム４０と固定フレーム１０との間に所定の間隔が形成され、モニタ９０が本体８０から離間する。尚、この時、第一リンク部材２０及び第二リンク部材３０の固定フレーム１０に対する角度は略１２０度となる。
【００３１】
そして、図５及び図１０に示すように、モニタ９０及び連結フレーム５０が連結軸５５を軸として回動フレーム４０に対して９０度に外側に向かって回転すると、モニタ９０が展開する。
【００３２】
さらに、図６及び図１１に示すように、モニタ９０及び連結フレーム５０が、連結軸５５を軸として回動フレーム４０に対して１８０度展開すると、モニタ９０と本体８０とが一直線となることから、電子機器にデジタルカメラを装着すれば、使用者は、自分の映像をモニタ９０に写しながら、写真や撮影などを撮ることができる。
【００３３】
また、図２に示すように、本実施例においては、前記第一リンク部材２０の第二枢設端２２が固定ピン４４を介して回動フレーム４０の組立プレート４２に枢設されると共に、前記第二リンク部材３０の第二枢設端３２が固定ピン４４を介して回動フレーム４０の組立プレート４２に枢設されることが好ましい。
【００３４】
また、図１及び図２に示すように、本実施例においては、前記固定フレーム１０の対向する両側にそれぞれ結合プレート１２が上方に向かって延設されると共に、前記回動フレーム４０の対向する両側にそれぞれ組立プレート４２が下方に向かって延設され、前記第一リンク部材２０は２つ有し、その両端はそれぞれ対応する結合プレート１２及び組立プレート４２に枢設され、一方、前記第二リンク部材３０は２つも有し、その両端はそれぞれ対応する結合プレート１２及び組立プレート４２に枢設されることが好ましい。
【００３５】
本実施例においては、少なくとも１つの板バネ３６が、前記第二回転軸３５に環装され、且つ、軸方向に沿って位置決めリング３３に当接されると共に、少なくとも１つの板バネ５６が、前記連結軸５５に環装されると共に、軸方向に沿って位置決めリング５３に当接されることが好ましい。
【００３６】
本考案におけるヒンジにおいては、回動フレーム４０が第一リンク部材２０及び第二リンク部材３０を介して固定フレーム１０に装着されることから、回動フレーム４０を降下すると、固定フレーム１０にぴったりと重置され、反対に、回動フレーム４０が上昇すると、固定フレーム１０とは離間して、それらの間に所定の間隔が形成される。尚、連結フレーム５０は、回動フレーム４０に対して１８０度展開することができる。
【産業上の利用可能性】
【００３７】
本考案は上記の構成を有することから、本体８０にヒンジを介してモニタ９０が装着された電子機器を使用する時は、モニタ９０を本体８０に対して１８０度回転させて展開することができ、また、その展開過程中には、回動フレーム４０が上昇しながら固定フレーム１０から離間することから、モニタ９０と本体８０とが衝突することはないので、開閉動作をスムーズに行うことができる。
【符号の説明】
【００３８】
１０          固定フレーム
１２          結合プレート
１２１ 第一結合部
１２２ 第二結合部
１３          切欠き部
２０          第一リンク部材
２１          第一枢設端
２１１ 止め凸部
２２          第二枢設端
２５          第一回転軸
２５１ 止めブロック
３０          第二リンク部材
３１          第一枢設端
３１１ 位置決め凹部
３２          第二枢設端
３３          位置決めリング
３３１ 位置決め凸部
３５          第二回転軸
３６          板バネ
４０          回動フレーム
４１          プレート
４２          組立プレート
４２１ 第一組立部
４２２ 第二組立部
４３          延出部
４４          固定ピン
４５          連結部
５０          連結フレーム
５１          連結プレート
５１１ 位置決め凹部
５２          固定プレート
５３          位置決めリング
５３１ 位置決め凸部.
５５          連結軸
５６          板バネ
８０          本体
９０          モニタ
【図１】
0003179328.tif 000003
【図２】
0003179328.tif 000004
【図３】
0003179328.tif 000005
【図４】
0003179328.tif 000006
【図５】
0003179328.tif 000007
【図６】
0003179328.tif 000008
【図７】
0003179328.tif 000009
【図８】
0003179328.tif 000010
【図９】
0003179328.tif 000011
【図１０】
0003179328.tif 000012
【図１１】
0003179328.tif 000013